(57)【要約】【課題】施術者の超微小操作を可能としたガングリップ型挟持器の提供。【解決手段】１９ｃ軸を中心として先端及び後端が開閉する一対の挟持片から成る挟持部１９を含む処置具５１と、該一対の挟持片の先端を開閉する開閉機構及び前記処置具を回動自在に支持する回動機構を有する回動筒部１２を含むバレル５０と、該バレル５０の回動筒部１２に対して所定角度傾斜して取り付けられると共に、前記開閉機構を稼働するトリガー１４を含むグリップ１３とを備え、施術者が、人差し指８２と親指８１により回動筒部１２を挟み込んで任意の方向に回転させ、中指８３によりトリガー１４を操作することにより一対の挟持部１９の先端を開閉するガングリップ型挟持器。【選択図】図４
2019025105.tif 000002
【特許請求の範囲】
【請求項１】
先端が開閉する一対の挟持片から成る挟持部を含む処置具と、
該一対の挟持片の先端を開閉すると共に、外周が筒軸を中心として回動されることにより前記処置具と一体的に回動する回動筒部を含むバレルとを備え、
前記処置具の長手方向線と回動筒部の軸方向線とを同軸に構成したことを特徴とするガングリップ型挟持器。
【請求項２】
軸を中心として先端及び後端が開閉する一対の挟持片から成る挟持部を含む処置具と、
該一対の挟持片の先端を開閉する開閉機構及び外周が筒軸を中心として回動されることにより前記処置具と一体的に回動する回動機構を有する回動筒部を含むバレルと、
該バレルの前記回動筒部に対して所定角度傾斜して取り付けられると共に、前記開閉機構を稼働するトリガーを含むグリップとを備え、
前記処置具の長手方向線と回動筒部の軸方向線とを同軸とし、前記回動筒部の回転と同期して処置具が回動するように構成したことを特徴とするガングリップ型挟持器。
【請求項３】
前記一対の挟持片の先端を開閉する開閉機構が、前記一対の挟持片の後端に取り付けられて先端を閉じる付勢力を与える一対の板バネと、前記回動筒部の先端から突出自在であり、前記一対の挟持片後端に先端が挿入されることにより一対の挟持片先端を開閉するロッドと、該ロッドを後端に向かって付勢するコイルバネと、前記ロッドの後端に位置する押し部と、該押し部に一端が取り付けられ、他端の回動により前記押し部をコイルバネの付勢力に抗して先端に向かって移動させるトリガーとを備えることを特徴とする請求項２に記載のガングリップ型挟持器。
【請求項４】
前記バレルの回動機構が、前記トリガーの操作による押し部の移動範囲の長さ、且つ少なくとも円周の１／４の長さの切り欠きを底面に開口した回動筒部と、該回動筒部を回動自在に支持する固定内筒とを備えることを特徴とする請求項３に記載のガングリップ型挟持器。
【請求項５】
前記回動筒部が、自然状態において処置具の挟持片が水平になる方向になるように付勢する巻きバネを備えることを特徴とする請求項１から４の何れかに記載のガングリップ型挟持器。
【請求項６】
前記回動筒部内壁と固定内筒外壁との間及び回動筒部内壁とロッド外周との間に、流体が流動自在な隙間を直線状に設けたことを特徴とする請求項４又は５の何れかに記載のガングリップ型挟持器。
【請求項７】
前記挟持部を形成する一対の挟持片が、回動筒部の軸方向線に沿って延びる直線状のストレート型であることを特徴とする請求項１から６何れかに記載のガングリップ型挟持器。
【発明の詳細な説明】
【技術分野】
【０００１】
本発明は、外科手術で用いられる吻合針等の部位を挟持するための器具であるガングリップ型挟持器に係り、特に操作性を向上したガングリップ型挟持器に関する。
【背景技術】
【０００２】
一般に、外科手術において使用する吻合針を挟持する器具である挟持器は、持針器又は鑷子とも呼ばれ、吻合針を血管等に刺して吻合施術するために使用される。
【０００３】
従来技術による持針器は、例えば、一組の細長い金属片を重ね、一端を張り合わせたような細長Ｖ字形状のピンセット型や、医師がグリップを握った状態でトリガーを引くことにより挟持部（ピンセット先端）を開閉して吻合針を把持するガングリップ型のものが知られている。
【０００４】
このガングリップ型持針器に関する技術が記載された文献としては、例えば下記の特許文献が挙げられ、この特許文献には、対象物を挟持する挟持アーム部材と、挟持アーム部材を閉状態における挟持アーム部材の長手方向と直交しかつ回動軸線と直交する第２方向に形成された回動軸線周りに回動可能に支持する回動支持部材とを有する把持部と、挟持アーム部材を開閉操作する開閉操作部を有する挟持アーム開閉駆動部と、挟持アーム部材を回動軸線周りに回動操作する回動操作部を有する挟持アーム部材回動駆動部とを備え、挟持アーム部材に対する開閉動作を、回動軸線を含む範囲内で伝達することにより、狭小空間等において対象物を垂直接線方向に効率的かつ安定的に取廻す技術が記載されている。
【先行技術文献】
【特許文献】
【０００５】
【特許文献１】特開２０１５−６５９８９号公報
【発明の概要】
【発明が解決しようとする課題】
【０００６】
前述の特許文献１に記載された技術は、吻合針を垂直接線方向に効率的かつ安定的に取廻すことができるものの、超微小手術においては、挟持部の先端を微小開閉及び微小回転させる必要があり、従来技術による持針器では超微小手術における微小操作が困難であるという課題があった。
【０００７】
これを具体的に説明すると、血管・神経・リンパ管をつなぐ吻合施術に用いられる持針器は、例えば、顕微鏡による観察下において、リンパ液が静脈に流れるように、直径０．３ｍｍのリンパ管を直径０．８ｍｍの静脈に長さ２．５ｍｍ、直径０．０３ｍｍの吻合針を用いて６針で吻合する必要があり０．３ｍｍ径のリンパ管の断面の一部を０．８ｍｍ径の静脈の開口部に位置づけた状態で吻合針を把持しながら吻合するものであって、従来技術による持針器は、人の手が物体を持つ際の自然な形や動きに合うものではなく、手首を浮かせた状態で吻合針を回転させるために施術者による手や指の動きの超微小操作が困難であるという課題があった。
また、従来技術によるピンセット型の持針器は、ピンセット先端の挟み込みを解除した際にピンセット先端が細長い金属片の復元力により振動し、超微小手術の傷害を招くという課題があった。
【０００８】
本発明の目的は、このような状況に鑑みてなされたものであり、超微小手術において挟持部を容易に開閉及び回転操作することができるガングリップ型挟持器を提供することである。
【課題を解決するための手段】
【０００９】
前記目的を達成するため本発明によるガングリップ型挟持器は、先端が開閉する一対の挟持片から成る挟持部を含む処置具と、該一対の挟持片の先端を開閉すると共に、外周が筒軸を中心として回動されることにより前記処置具と一体的に回動する回動筒部を含むバレルとを備え、前記処置具の長手方向線と回動筒部の軸方向線とを同軸に構成したことを第１の特徴とする。
【００１０】
また、本発明によるガングリップ型挟持器は、軸を中心として先端及び後端が開閉する一対の挟持片から成る挟持部を含む処置具と、該一対の挟持片の先端を開閉する開閉機構及び外周が筒軸を中心として回動されることにより前記処置具と一体的に回動する回動機構を有する回動筒部を含むバレルと、該バレルの前記回動筒部に対して所定角度傾斜して取り付けられると共に、前記開閉機構を稼働するトリガーを含むグリップとを備え、前記処置具の長手方向線と回動筒部の軸方向線とを同軸とし、前記回動筒部の回転と同期して処置具が回動するように構成したことを第２の特徴とする。
【００１１】
さらに、本発明は、第２の特徴のガングリップ型挟持器において、前記一対の挟持片の先端を開閉する開閉機構が、前記一対の挟持片の後端に取り付けられて先端を閉じる付勢力を与える一対の板バネと、前記回動筒部の先端から突出自在であり、前記一対の挟持片後端に先端が挿入されることにより一対の挟持片先端を開閉するロッドと、該ロッドを後端に向かって付勢するコイルバネと、前記ロッドの後端に位置する押し部と、該押し部に一端が取り付けられ、他端の回動により前記押し部をコイルバネの付勢力に抗して先端に向かって移動させるトリガーとを備えることを第３の特徴とする。
【００１２】
さらに、本発明は、第３の特徴のガングリップ型挟持器において、前記バレルの回動機構が、前記トリガーの操作による押し部の移動範囲の長さ、且つ少なくとも円周の１／４の長さの切り欠きを底面に開口した回動筒部と、該回動筒部を回動自在に支持する固定内筒とを備えることを第４の特徴とし、第１から第４の特徴のガングリップ型挟持器において、前記回動筒部が、自然状態において処置具の挟持片が水平になる方向になるように付勢する巻きバネを備えることを第５の特徴とし、第４又は第５何れかの特徴のガングリップ型挟持器において、前記回動筒部内壁と固定内筒外壁との間及び回動筒部内壁とロッド外周との間に、流体が流通自在な隙間を直線状に設けたことを第６の特徴とし、前記何れかの特徴のガングリップ型挟持器において、前記挟持部を形成する一対の挟持片が、回動筒部の軸方向線に沿って延びる直線状のストレート型であることを第７の特徴とする。
【発明の効果】
【００１３】
本発明によるガングリップ型挟持器は、人の手の物体を握るときの自然な形である親指及び人差し指により挟持部を回転操作し、中指と薬指と小指の３本でグリップを強く握った状態での親指及び人差し指によによる回転操作を容易としたことによって、超微小手術において挟持部を容易に開閉及び回転操作することができる。また、本発明によるガングリップ型挟持器は、挟持部による挟み込みを解除した際に挟持部先端の振動を防止することもできる。
【図面の簡単な説明】
【００１４】
【図１Ａ】本発明の実施例によるガングリップ型挟持器の側面を示す図。
【図１Ｂ】本実施例によるガングリップ型挟持器の平面及び背面を示す図。
【図２】本実施形態によるガングリップ型挟持器の縦断面を示す図。
【図３】本実施形態によるガングリップ型挟持器の挟持開閉動作を示す図。
【図４】本実施形態によるガングリップ型挟持器の挟持回転動作を示す図。
【図５】本実施形態によるガングリップ型挟持器の把持角度を示す図。
【図６】本実施形態によるガングリップ型挟持器の挟持開閉動作を示す平面断面図。
【図７】吻合施術における従来と本実施例による持針器の動作を説明するための図。
【図８】本実施形態による回動機構の構造を説明するための図。
【図９】本実施例によるガングリップ型挟持器の洗浄方法を説明するための図。
【図１０】本発明の他実施例によるガングリップ型挟持器の平面を説明するための図。
【図１１】本発明の他実施例によるガングリップ型挟持器の平面を説明するための図。
【図１２】本発明の実施例による挟持部例を説明するための図。
【発明を実施するための形態】
【００１５】
以下、本発明によるガングリップ型挟持器を、外科手術における吻合針を挟持する持針器に適用した実施例を図面を参照して詳細に説明する。
［構成］
本実施形態によるガングリップ型挟持器は、図１Ａ及び図１Ｂに示す如く、大別して、図中左方の先端側が開閉する一対の挟持片１９ａ及び１９ｂから成る挟持部１９を含む処置具５１と、該一対の挟持片１９ａ及び１９ｂの開閉動作及び回動動作を行うための開閉機構及び回動機構を含むバレル５０と、該バレル５０を支持し、施術者が把持して処置具５１の開閉を行うトリガー１４を含むグリップ１３とから成る。なお、本明細書においては、図中左方をガングリップ型挟持器の先端側と呼び、図中右方を後端側又は基端側と呼ぶ。
【００１６】
前記処置具５１は、図１Ａの縦断面を示す図２の如く、細板形状の挟持部支持板１９ｄと、該挟持部支持板１９ｄに立設された軸１９ｃと、該軸１９ｃを中心として先端側が開閉する一対の挟持片１９ａ及び１９ｂから成る挟持部１９とを含み、該一対の挟持片１９ａ及び１９ｂが軸１９ｃを中心として開閉するように構成されている。なお、本実施例では一対の挟持片１９ａ及び１９ｂを軸１９ｃを回転中心として開閉する例を示したが、本発明はこれに限られるものではなく、例えば、軸１９ｃを設けず、挟持片１９ａ及び１９ｂがクロスせずに板ばねに取り付けられて先端が開閉するピンセット型であっても良い。
【００１７】
本実施例による挟持部１９は、図１２（ａ）の斜視図及び図１２（ｂ）の側面図に示す如く、挟持片１９ａ及び１９ｂが長手方向に直線状に形成されたストレート型である。このストレート型を採用する理由は、従来のピンセット型では施術者が手首を動かして微調整するために先端が湾曲していた方が操作性が良いのに対し、本実施例の如くガンクリップ型では施術者が手首を固定した軸を中心に操作するため針の動きを直感的に分かるストレート型の方が好ましいためである。ただし、施術者によっては個人差があるため、図１２（ｃ）の斜視図及び図１２（ｄ）の側面図に示す如く、挟持片５５ａ及び５５ｂの先端側が湾曲した湾曲型であっても良い。
【００１８】
前記バレル５０は、図１Ａ及び図１Ｂ並びに図２に示す如く、前記一対の挟持片１９ａ及び１９ｂの後端に取り付けられた一対の板バネ１８ａ及び１８ｂから成る板バネ部１８と、該板バネ部１８の他端がネジ１７ａにより先端側外周に取り付けられ、前記処置具５１及びバレル５０と共に一体的に回動自在な回動筒部１２と、該回動筒部１２を回動自在に支持し、内部に固定基部１１ａをネジ１１ｂにより固定した円筒状の固定筒部１１と、前記回動筒部１２と固定筒部１１を貫通して突出自在な長尺形状のロッド２０と、該ロッド２０を図中右方向である後端側に向かって付勢するコイルバネ２１（図２参照）とを備え、処置具５１の長手方向線と回動筒部１２の軸方向線とを同軸に構成している。
【００１９】
前記回動筒部１２は、操作者の指が挟み込むことにより回動筒部１２等の回転角度を認識させるために、両側面に長手方向に刻設された側部スリット１２ａを備え、この側部スリット１２ａは、医師等の指の滑り止めとしての機能も有する。回動筒部１２は、非操作時（操作をしない自然状態）に渦巻きバネ等が側部スリット１２ａを水平方向（処置具５１の挟持片１９ａ及び１９ｂが水平になる方向）に保持するように付勢しても良い。
【００２０】
このように本実施例によるガングリップ型挟持器は、挟持部１９がグリップ１３に対して直角方向（水平方向）に挟持片１９ａ及び１９ｂを開閉自在とし、非操作時においてはコイルバネ２１の復元弾性力によって挟持片１９ａ及び１９ｂが常時閉じる様に構成されている。
【００２１】
前記バレル５０は、固定筒部１１に対して、回動筒部１２及び処置具５１を一体的に回動自在とする回動機構と、前記ロッド２０をコイルバネ２１の弾性復元力によって後端側に押すように付勢し、一対の挟持片１９ａ及び１９ｂの後端側に接続された一対の板バネ１８ａ及び１８ｂが挟持部１９を閉じるように付勢する開閉機構を有する。
【００２２】
本実施例による回動機構は、図８に示す如く、回動筒部１２のトリガー１４の押し部１４ｂが動く範囲の長さＬ０、且つ少なくとも回動筒部１２の円周の１／２の長さの切り欠き１２ｂを開口し、この切り欠き１２ｂ内において押し部１４ｂが回動筒部軸方向に動くことができると共に、回動筒部１２が回動筒部の約外周半周未満分だけ回動することができるように構成される。なお、回動筒部１２の回動自在な範囲は、本実施例に限られるものではなく、回動筒部１２の底面に円周の２／３の長さの切り欠きを底面に開口し、±６０度の範囲（１２０度）で回動自在に構成しても良い。
【００２３】
換言すれば本実施形態による回動機構は、トリガー１４の押し部１４ｂが動く範囲の長さＬ０、且つ円周の１／４〜２／３程度の長さの切り欠き１２ｂを底面方向に開口した回動筒部１２と、該回動筒部１２を回動自在に支持する固定筒部１１とを備え、前記切り欠き１２ｂによってトリガー１４を避けて回動筒部１２が回動するように構成されている。
【００２４】
なお、図１Ａ他に示した実施例では、回動筒部１２両側の側部スリット１２ａがグリップ１３を握る医師に対して水平なとき、挟持部１９も開閉方向が水平であり、回動筒部１２の切り欠き１２ｂも円筒の約下半分を切り欠いている例を説明したが、本発明による回動機構は、この例に限られるものではなく、医師の施術の仕方によっては側部スリット１２ａがグリップ１３を握る医師に対して水平なとき、挟持部１９の開閉方向が垂直になるように構成しても良い。
【００２５】
前記開閉機構は、例えば図２に示す如く、前述のように一対の挟持片１９ａ及び１９ｂの後端側の隙間に先端側が接する長尺円柱形状のロッド２０と、弾性復元力によって該ロッド２０を後端側に向かって押すように付勢するコイルバネ２１と、一対の挟持片１９ａ及び１９ｂの後端側に接続されて挟持部１９を閉じるように付勢する一対の板バネ１８ａ及び１８ｂと、該ロッド２０の後端側に位置される押し部１４ｂと、操作者の操作によって該押し部１４ｂをロッド先端側に押圧するトリガー１４とを備える。
【００２６】
前記グリップ１３は、図５に示す如く、バレル５０の長手方向に対して角度θ１だけ傾斜し、トリガー１４に対して角度θ２に設定され、施術者の手に馴染みやすい形状で握り易く、且つ握った状態でトリガー１４を引きやすいように構成されている。このグリップ１３は、前記固定筒部１１内に位置した押し部１４ｂに一端が取り付けられ、軸１４ａを回転中心として回動するトリガー１４と、該トリガー１４の軸１４ａを支持すると共に、前記固定筒部１１の長手方向に対して所定角度（θ１）傾斜するように固定され、施術者の手のひらにより把持される傾斜板状のグリップ本体１３ａと、該グリップ本体１３ａの両端にネジ１３ｄにより取り付けられる一対の把持ユニット１３ｃとを備える。この把持ユニット１３ｃのグリップ本体１３ａへの取り付けはネジに限られるものではなく、はめ込み式その他の機構・構造であっても良い。
【００２７】
また、図９（ａ）示す本実施例によるガングリップ型挟持器は、図９（ｂ）のＸ−Ｘ断面に示す如く、円筒状の回動筒部１２内に位置する基端側の固定内筒１１ｃの外周面筒軸方向に沿って複数のスリットによる隙間Ｓを設けると共に、図９（ｃ）のＹ−Ｙ断面に示す如く、回動筒部１２の先端側に位置するロッド２０の断面を概略三角形状とすることによって、回動筒部１２の基端側の内壁と固定内筒１１ｃの外壁との間に筒軸方向の第１流路及び回動筒部１２の先端側のロッド２０外壁との間の第２流路を設ける。
【００２８】
このため本実施例によるガングリップ型挟持器は、図９中の固定内筒１１ｃの後端開口部から洗浄水を矢印イから流入したとき、洗浄水が、回動筒部１２の切り欠き１２ｂ（図８）から矢印ロの如く排出されることに加え、回動筒部１２内周と固定内筒１１ｃ外周との間の隙間Ｓを通り、更に、回動筒部１２先端内周とロッド２０の外壁との間隔を通って矢印ニの如く排出することができ、従って洗浄液によって内部を容易に洗浄することができる。すなわち、本例のガングリップ型型挟持器は、回動筒部内１２の内壁と固定内筒１１ｃの外壁との間と、回動筒部１２の先端側内壁とロッド２０の外周との間に、洗浄液が直線状に流動自在な隙間である流路を直線状に形成したことによって、固定内筒１１ｃの後端開口部から注入した洗浄水を直線状に排出することができ、内部に汚染物が侵入した場合であっても容易に排出して内部を容易に洗浄することができる。
【００２９】
すなわち、本実施例によるガングリップ型挟持器は、回動筒部１２の内壁と固定内筒１１ｃの外壁との間と、回動筒部１２の内壁とロッド２０の外周との間に、洗浄液等の流体が流通自在な隙間である第１及び第２の流路を直線状に配置したことによって、洗浄液により内部を容易に洗浄することができる。なお、前述した流路を形成する隙間を設ける構造は前述の実施例に限られるものではなく、回動筒部１２の内壁側にスリットを設ける等の他の構造であっても良い。
【００３０】
また、前述の実施例においては、図１０（ａ）に示す如く、回動筒部１２及び処置具の軸線Ｚに対して同動軸線となるようにグリップ１３を固定している例を説明したが、本発明はこれに限られるものではなく、施術者の使い勝手によっては、図１０（ｂ）（ｃ）に示す如く前記軸線Ｚに対してグリップ１３を傾斜するように固定しても良く、傾斜角度を調整自在に構成しても良い。
【００３１】
また、前記実施例においてはグリップ１３の縦方向の長さが人の手のひらの幅程度の例を説明したが、図１１に示す如く、施術する際の支えになるようにアタッチメント３００を取り付けられるように構成しても良く、アタッチメント３００の底部を施術台等に置いた状態で施術時の位置を安定させることができるように構成しても良い。
【００３２】
さらに本発明によるガングリップ型挟持器は、バレル５０の長さが手元で施術するような比較的短い例を説明したが、体内の奥位置にある部位を施術するために、バレル５０の長さをさらに長く構成しても良い。
【００３３】
［動作］
このように構成されたガングリップ型挟持器は、図３（ａ）及び図６（ａ）に示す如く、バレル５０の回動筒部１２内のコイルバネ２１の弾性復元力によりロッド２０を後端方向に付勢している待機状態のとき、コイルバネ２１が自己弾性復元力によりロッド２０を後端方向に付勢してロッド２０の先端側が一対の板バネ１８ａ及び１８ｂの後端側に接する程度に当接し、且つ一対の板バネ１８ａ及び１８ｂによる挟持部１９を閉じる付勢力によって、挟持片１９ａ及び１９ｂの先端側は閉じた状態となる。
【００３４】
この待機状態において施術者がトリガー１４を矢印Ａ方向に引いた可動状態のとき、本ガングリップ型挟持器は、図３（ｂ）及び図６（ｂ）に示す如く、バレル５０の回動筒部１２内のコイルバネ２１の弾性復元力に抗して押し部１４ｂがロッド２０の後端側を矢印Ｂ方向の先端側に向かって押し出し、該ロッド２０の先端側が挟持片１９ａ及び１９ｂの後端側の隙間に挿入して矢印Ｃ方向に押し広げることによって、挟持片１９ａ及び１９ｂの先端側が矢印Ｄ方向に開くように構成されている。
【００３５】
すなわち、本実施形態によるガングリップ型挟持器は、待機状態においてはコイルバネ２１の自己弾性復元力及び一対の板バネ１８ａ及び１８ｂの付勢力により挟持部１９の先端側を閉じた状態となり、操作者がグリップ１３を握った状態で中指等によりトリガー１４を引くことによって、処置具５１の挟持部１９の先端を開くことができる。このように本実施例によるガングリップ型挟持器は、一対の板バネ１８ａ及び１８ｂの後端に挿入したロッド２０の先端を退いて挟持部１９の先端を開くため、挟持部１９先端の挟み込みを解除した際に挟持部先端の振動を防止することもできる。
【００３６】
また、本実施形態によるガングリップ型挟持器は、図４（ａ）に示す如く、操作者が小指と薬指と掌でグリップ１３を把持し、手首の根元部８８を施術台等に置いた状態で人差し指８２及び親指８１の二本の指を用いて回動筒部１２を回動することによって、先端の挟持部１９を回動することができ、この回転角度は回動筒部１２の両側面に設けた側部スリット１２ａを指の感覚により認知可能なため、操作者が容易に回動角度を認知することができる。
【００３７】
このように本実施形態によるガングリップ型挟持器は、施術者が、小指と薬指と掌を用いてグリップ１３を把持し、人差し指８２と親指８１により回動筒部１２を挟み込んで任意の方向に回転させ、中指８３を用いてグリップを引くことにより挟持部１９を開閉することができる。
【００３８】
特に本実施例によるガングリップ型挟持器は、顕微鏡による観察下において縫合針を挟持部１９を用いて挟持し、例えば直径０．３ｍｍのリンパ管を直径０．８ｍｍの静脈の開口部に吻合針を用いて吻合する施術の際、図７（ａ）及び（ｂ）に示す如く、従来技術によるピンセット型持針器２００では空中に浮かせた状態の手首８９を回転させるために処置具の先端位置が変わりやすかったのに対し、図７（ｃ）に示す如く、手首の根元部を置いた状態で人差し指８２と親指８１により回動筒部１２を挟み込んで任意の方向に回転させることにより、処置具の先端位置が動くことを低減することができ、さらに挟持部１９先端の挟み込みを解除した際の挟持部先端の振動を防止することもでき、従って、超微小手術を容易に行うことができる。
【００３９】
また、本実施形態によるガングリップ型挟持器は、グリップ１３の把持ユニット１３ｃが、操作者の手の大きさに応じて握り径や形状を変更することができ、操作者の手の大きさや指の長さに応じて握り易く且つトリガーを引きやすい形状に変更することもできる。また、本発明によるガングリップ型挟持器は、施術における吻合針のみを挟持する器具に限られるものではなく、施術における他の部位を挟持するもの、施術に限らず精密加工の手作業を行うものにも適用することができる。
【符号の説明】
【００４０】
１１  固定筒部、１１ａ  固定基部、１１ｂ  ネジ、１２  回動筒部、
１２ａ  側部スリット、１２ｂ  切り欠き、１３  グリップ、
１３ａ  グリップ本体、１３ｃ  把持ユニット、１３ｄ  ネジ、１４  トリガー、
１４ａ  軸、１４ｂ  押し部、１８  板バネ部、１７ａ  ネジ、１８ａ  板バネ、
１９  挟持部、１９ａ  挟持片、１９ｃ  軸、１９ｄ  挟持部支持板、
２０  ロッド、２１  コイルバネ、５０  バレル、５１  処置具、５５  処置具、
５５ａ  挟持片、５５ｂ  挟持片、５５ｃ  軸、
８１  親指、８２  人差し指、８３  中指、８８  根元部、８９  手首
【図１Ａ】
2019025105.tif 000003
【図１Ｂ】
2019025105.tif 000004
【図２】
2019025105.tif 000005
【図３】
2019025105.tif 000006
【図４】
2019025105.tif 000007
【図５】
2019025105.tif 000008
【図６】
2019025105.tif 000009
【図７】
2019025105.tif 000010
【図８】
2019025105.tif 000011
【図９】
2019025105.tif 000012
【図１０】
2019025105.tif 000013
【図１１】
2019025105.tif 000014
【図１２】
2019025105.tif 000015